(57)【要約】【課題】地震時において、耐震補強材と躯体との接合部に曲げモーメントを作用させない建物の耐震補強方法及び建物を提供する。【解決手段】既存建物２の外部に面した開口部を囲む梁４、柱、壁のいずれかで形成された躯体の縦部材及び横部材のうち、上下に隣り合う一方の横部材の１箇所以上及び他方の横部材の２箇所以上に、あるいは、左右に隣り合う一方の縦部材の１箇所以上及び他方の縦部材の２箇所以上に、あるいは、隣り合う横部材及び縦部材のうちの一方の１箇所以上及び他方の２箇所以上に、耐震補強材３をピン接合６で取り付けた。【選択図】図１
2008082017.tif 000002
【特許請求の範囲】
【請求項１】
既存建物の外部に面した開口部を囲む梁、柱、壁のいずれかで形成された躯体の縦部材及び横部材のうち、上下に隣り合う一方の横部材の１箇所以上及び他方の横部材の２箇所以上に、あるいは、左右に隣り合う一方の縦部材の１箇所以上及び他方の縦部材の２箇所以上に、あるいは、隣り合う横部材及び縦部材のうちの一方の１箇所以上及び他方の２箇所以上に、耐震補強材をピン接合で取り付けたことを特徴とする建物の耐震補強方法。
【請求項２】
既存建物の外部に面した開口部を囲む梁、柱、壁のいずれかで形成された躯体の縦部材及び横部材のうち、上下に隣り合う一方の横部材の１箇所及び他方の横部材の１箇所に、あるいは、左右に隣り合う一方の縦部材の１箇所及び他方の縦部材の１箇所に、あるいは、隣り合う横部材及び縦部材のうちの一方の１箇所及び他方の１箇所に、耐震補強材を２箇所のピン接合の位置が同一の垂直線上及び同一の水平線上のいずれにも位置しないようにピン接合で取り付けたことを特徴とする建物の耐震補強方法。
【請求項３】
耐震補強材が、既存建物の外部に面した開口部を囲む梁、柱、壁のいずれかで形成された躯体の縦部材及び横部材のうち、上下に隣り合う一方の横部材の１箇所以上及び他方の横部材の２箇所以上に、あるいは、左右に隣り合う一方の縦部材の１箇所以上及び他方の縦部材の２箇所以上に、あるいは、隣り合う横部材及び縦部材のうちの一方の１箇所以上及び他方の２箇所以上にピン接合されたことを特徴とする建物。
【請求項４】
耐震補強材が、既存建物の外部に面した開口部を囲む梁、柱、壁のいずれかで形成された躯体の縦部材及び横部材のうち、上下に隣り合う一方の横部材の１箇所及び他方の横部材の１箇所に、あるいは、左右に隣り合う一方の縦部材の１箇所及び他方の縦部材の１箇所に、あるいは、隣り合う横部材及び縦部材のうちの一方の１箇所及び他方の１箇所にピン接合され、耐震補強材の２箇所のピン接合の位置が、同一の垂直線上及び同一の水平線上のいずれにも位置しないことを特徴とする建物。
【請求項５】
ピン接合は、梁の外面より突出するよう梁に固定されたピン部と、ピン部の中心軸を回転中心として回転が許容された状態にピン部と接合された耐震補強材の取付部と、取付部によりピン部に取り付けられた耐震補強材の脱落を防止する脱落防止部とにより形成されたことを特徴とする請求項３又は請求項４に記載の建物。
【請求項６】
取付部が、梁の外面と対向する耐震補強材の表裏面に跨って貫通するピン挿入孔により形成され、ピン部が、梁の外面より突出するよう梁に固定されたピンにより形成されたか、あるいは、梁の外面より突出するよう梁に固定されたピンとこのピンがピン挿入孔に挿入された状態でピンとピン挿入孔との間に充填された固化剤とにより形成され、脱落防止部が、ピン挿入孔の内側に位置されるピンの表面に形成された固化剤とのピン側係合部と、ピン挿入孔の内面に形成された固化剤との孔側係合部とにより形成されたことを特徴とする請求項５に記載の建物。
【請求項７】
ピン側係合部の表面、あるいは、孔側係合部の表面に、固化剤との滑りをよくするための潤滑剤を設けたことを特徴とする請求項６に記載の建物。
【請求項８】
梁とピン部との固定構造は、梁の外面に形成されたピン固定孔と、ピン固定孔に挿入されたピンと、ピンとピン固定孔との間に充填された固化剤と、ピン固定孔の内側に位置されるピンの表面に形成された固化剤とのピン側係合部と、ピン固定孔の内面に形成された固化剤との孔側係合部とにより形成されたことを特徴とする請求項５乃至請求項７のいずれかに記載の建物。
【請求項９】
梁とピン部との固定構造は、アンカーと、ピン部に設けられた取付板とにより形成され、取付板がアンカーによって梁の外面に固定されたことを特徴とする請求項５乃至請求項７のいずれかに記載の建物。
【発明の詳細な説明】
【技術分野】
【０００１】
本発明は、既存建物の梁の外面に耐震補強材をピン接合で取り付けることによって、地震時において、耐震補強材と躯体との接合部に曲げモーメントを作用させない建物の耐震補強方法及び建物に関する。
【背景技術】
【０００２】
既存建物の躯体の梁に耐震補強材がアンカーボルトで固定された建物が知られている。
【特許文献１】特開平１０−１５２９９７号公報
【発明の開示】
【発明が解決しようとする課題】
【０００３】
しかしながら、特許文献１では、梁と耐震補強材とがアンカーボルトで固定された構成、即ち、梁と耐震補強材とが剛接合された構成なので、地震の際に建物の躯体に力が加わった場合、接合部において躯体や耐震補強材の回転が拘束されてしまう。このため、地震時において、躯体と耐震補強材との接合部に曲げモーメントとせん断力とが作用するので、躯体と耐震補強部材間の応力伝達が明快でなく、設計において曲げモーメントとせん断力と考慮する必要があり、設計が煩雑となる。
【課題を解決するための手段】
【０００４】
本発明における建物の耐震補強方法は、既存建物の外部に面した開口部を囲む梁、柱、壁のいずれかで形成された躯体の縦部材及び横部材のうち、上下に隣り合う一方の横部材の１箇所以上及び他方の横部材の２箇所以上に、あるいは、左右に隣り合う一方の縦部材の１箇所以上及び他方の縦部材の２箇所以上に、あるいは、隣り合う横部材及び縦部材のうちの一方の１箇所以上及び他方の２箇所以上に、耐震補強材をピン接合で取り付けたことを特徴とする。
本発明における他の建物の耐震補強方法は、既存建物の外部に面した開口部を囲む梁、柱、壁のいずれかで形成された躯体の縦部材及び横部材のうち、上下に隣り合う一方の横部材の１箇所及び他方の横部材の１箇所に、あるいは、左右に隣り合う一方の縦部材の１箇所及び他方の縦部材の１箇所に、あるいは、隣り合う横部材及び縦部材のうちの一方の１箇所及び他方の１箇所に、耐震補強材を２箇所のピン接合の位置が同一の垂直線上及び同一の水平線上のいずれにも位置しないようにピン接合で取り付けたことを特徴とする。
本発明の建物は、耐震補強材が、既存建物の外部に面した開口部を囲む梁、柱、壁のいずれかで形成された躯体の縦部材及び横部材のうち、上下に隣り合う一方の横部材の１箇所以上及び他方の横部材の２箇所以上に、あるいは、左右に隣り合う一方の縦部材の１箇所以上及び他方の縦部材の２箇所以上に、あるいは、隣り合う横部材及び縦部材のうちの一方の１箇所以上及び他方の２箇所以上にピン接合されたことを特徴とする。
本発明の他の建物は、耐震補強材が、既存建物の外部に面した開口部を囲む梁、柱、壁のいずれかで形成された躯体の縦部材及び横部材のうち、上下に隣り合う一方の横部材の１箇所及び他方の横部材の１箇所に、あるいは、左右に隣り合う一方の縦部材の１箇所及び他方の縦部材の１箇所に、あるいは、隣り合う横部材及び縦部材のうちの一方の１箇所及び他方の１箇所にピン接合され、耐震補強材の２箇所のピン接合の位置が、同一の垂直線上及び同一の水平線上のいずれにも位置しないことを特徴とする。
ピン接合は、梁の外面より突出するよう梁に固定されたピン部と、ピン部の中心軸を回転中心として回転が許容された状態にピン部と接合された耐震補強材の取付部と、取付部によりピン部に取り付けられた耐震補強材の脱落を防止する脱落防止部とにより形成されたことも特徴とする。
取付部が、梁の外面と対向する耐震補強材の表裏面に跨って貫通するピン挿入孔により形成され、ピン部が、梁の外面より突出するよう梁に固定されたピンにより形成されたか、あるいは、梁の外面より突出するよう梁に固定されたピンとこのピンがピン挿入孔に挿入された状態でピンとピン挿入孔との間に充填された固化剤とにより形成され、脱落防止部が、ピン挿入孔の内側に位置されるピンの表面に形成された固化剤とのピン側係合部と、ピン挿入孔の内面に形成された固化剤との孔側係合部とにより形成されたことも特徴とする。
ピン側係合部の表面、あるいは、孔側係合部の表面に、固化剤との滑りをよくするための潤滑剤を設けたことも特徴とする。
梁とピン部との固定構造は、梁の外面に形成されたピン固定孔と、ピン固定孔に挿入されたピンと、ピンとピン固定孔との間に充填された固化剤と、ピン固定孔の内側に位置されるピンの表面に形成された固化剤とのピン側係合部と、ピン固定孔の内面に形成された固化剤との孔側係合部とにより形成されたことも特徴とする。
梁とピン部との固定構造は、アンカーと、ピン部に設けられた取付板とにより形成され、取付板がアンカーによって梁の外面に固定されたことも特徴とする。
【発明の効果】
【０００５】
本発明の建物の耐震補強方法によれば、既存建物の躯体と耐震補強材とを回転を許容する接合、即ち、ピン接合によって互いに取り付けたので、地震時において、躯体と耐震補強材との接合部に曲げモーメントを作用させない（つまり、接合部に曲げモーメントを伝えない）ので、躯体と耐震補強材間の応力伝達が明快となり、ピン接合の設計においてせん断力だけを考慮すればよくなり、設計が容易となる。また、耐震補強材と躯体とを２箇所でピン接合した場合には、接合部を少なくできるので、躯体から耐震補強部材への応力伝達が単純となり、設計が容易となるとともに、工期の短縮化も可能となる。
本発明の建物によれば、既存建物の躯体と耐震補強材とが回転を許容する接合、即ち、ピン接合によって互いに取り付けられたので、地震時において、躯体と耐震補強材との接合部に曲げモーメントを作用させない（つまり、接合部に曲げモーメントを伝えない）ので、躯体と耐震補強材間の応力伝達が明快となり、ピン接合の設計においてせん断力だけを考慮すればよくなり、設計が容易となる。また、耐震補強材と躯体とが２箇所でピン接合された場合には、接合部を少なくできるので、躯体から耐震補強部材への応力伝達が単純となり、設計が容易となるとともに、工期の短縮化も可能となる。
ピン接合が、梁に固定されたピン部と、ピン部と接合された耐震補強材の取付部と、取付部によりピン部に取り付けられた耐震補強材の脱落を防止する脱落防止部とにより形成されたので、耐震補強材の梁からの脱落を防止できる。
取付部が、ピン挿入孔により形成され、ピン部が、梁に固定されたピン、あるいは、ピンと固化剤とにより形成され、脱落防止部が、ピン側係合部と孔側係合部とにより形成されたので、耐震補強材が脱落しないように、固化剤を用いて梁の外面に耐震補強材を容易に接合できる。また、ピンの表面と固化剤とによる互いの回転を許容するピン接合部分、あるいは、ピン挿入孔と固化剤とによる互いの回転を許容するピン接合部分を容易に形成できる。
ピン側係合部の表面、あるいは、孔側係合部の表面に、固化剤との滑りをよくするための潤滑剤を設けたので、ピン側係合部の表面と固化剤との間の回転抵抗、孔側係合部の表面と固化剤との間の回転抵抗を小さくできるので、回転抵抗の小さい良好なピン接合を得ることができる。
梁に対するピン部の固定部が、ピン固定孔と、ピンと、固化剤と、ピン側係合部と、孔側係合部とにより形成されたので、ピン部が脱落しないように、固化剤を用いて梁にピン部を容易に固定できる。
梁に対するピン部の固定部が、ピン部に設けられた取付板がアンカーによって梁の外面に固定されたことで形成されたので、梁の外面に孔を形成するなどの加工を不要とでき、ピン部を梁に容易に固定できる。
【発明を実施するための最良の形態】
【０００６】
最良の形態１
図１、図２は最良の形態１を示す。図１は既存建物の外部に面した開口部を囲む梁と耐震補強材との接合方法及び構造を示し、図２は既存建物の外部に面した開口部を囲む梁の外面に耐震補強材が取り付けられた状態を示す。
【０００７】
図２を参照し、耐震補強材が取り付けられた建物を説明する。
建物１は、既存建物２と、既存建物２の躯体を形成する梁４の外面５に取り付けられた耐震補強材３とにより形成される。つまり、耐震補強材３は、既存建物２の外部に面した躯体である梁４の外面５にピン接合６で取り付けられる。即ち、建物１は、既存建物２の外部に面した梁４と耐震補強材３とがピン接合６によって互いに取り付けられて形成される。
【０００８】
図２を参照し、耐震補強材３の形状や大きさを説明する。
耐震補強材３は、例えば、Ｔ字形状の平板に作製されたコンクリート板を用いる。高強度コンクリートにより形成された耐震補強材３を使用すれば、耐震強度を大きくできて好ましい。
耐震補強材３のＴ字の横部７の両方の端部８；８とＴ字の縦部９の下端部１０とには、それぞれ、耐震補強材２を形成する板の両面を貫通するピン挿入孔３３が形成される。
Ｔ字形状に形成された耐震補強材３の大きさは、例えば、高さ＝２５００ｍｍ、横幅＝５０００ｍｍ、板厚＝１５０ｍｍ、横部７の高さ＝５００ｍｍ、縦部９の横幅＝８００ｍｍ、ピン挿入孔３３の径１００ｍｍである。
耐震補強材３は、開口部１２を取り囲むように配置されて開口部１２の上下に位置する梁４の外面５に取り付けられるので、建物１の外観を損なわせたり、開口部１２を経由した眺望及び開口部１２を通る人の出入を妨げずに、建物１の耐震効果を向上できる。
開口部１２は、例えば、集合住宅建物の各戸の室内からベランダへの出入口となる開口部、集合住宅建物の各戸の廊下から室内への出入口となる開口部、窓のような開口部である。
【０００９】
図１（ｃ）を参照し、ピン接合６の構造を説明する。
ピン接合６は、梁４の外面５より突出するよう梁４に固定されたピン部１５と、ピン部１５の中心軸を回転中心として回転が許容された状態にピン部１５と接合された耐震補強材３の取付部１６と、取付部１６によりピン部１５に取り付けられた耐震補強材３の脱落を防止する脱落防止部１７とにより形成される。
【００１０】
梁４に対するピン部１５の固定部１８の構造は、梁４の外面５に形成されたピン固定孔１９と、ピン固定孔１９に挿入されたピン２０と、ピン２０とピン固定孔１９との間に充填された固化剤２１と、ピン固定孔１９の内側に位置されるピン２０の表面に形成された固化剤２１とのピン側係合部２２と、ピン固定孔１９の内面に形成された固化剤２１との孔側係合部２３とにより形成される。ピン側係合部２２と孔側係合部２３とを備えたことで、ピン固定孔１９からのピン２０の脱落を防止できる構造を提供できる。
【００１１】
取付部１６は、梁４の外面５と対向する耐震補強材３の裏面３１および表面３２に跨って貫通するピン挿入孔３３により形成される。
【００１２】
既存建物２の躯体及び耐震補強材３の回転中心となるピン部１５は、上述したように梁４の外面５より突出するよう梁４に固定されたピン２０、あるいは、梁４の外面５より突出するよう梁４に固定されたピン２０と、このピン２０がピン挿入孔３３に挿入された状態でピン２０とピン挿入孔３３との間に充填された固化剤３４とにより形成される。
【００１３】
固化剤２１；３４としては、無収縮モルタル、無収縮セメント、エポキシ接着剤のような樹脂が用いられる。
【００１４】
脱落防止部１７は、ピン挿入孔３３の内側に位置されるピン２０の表面に形成されたピン側係合部３５と、ピン挿入孔３３の内面に形成された孔側係合部３６とにより形成される。即ち、ピン２０とピン挿入孔３３との間に充填された固化剤３４と係合するピン側係合部３５と孔側係合部３６とを備えたので、ピン部１５からの耐震補強材３の脱落を防止できる構造を提供できる。
【００１５】
ピン２０は、鋼材、あるいは、鋼管内にコンクリートやモルタルなどの充填材を充填したものにより形成される。
ピン２０は、円柱体の円形外周面に凸部を備えることによって、円柱体の外周面の周囲を取り囲む輪状の凹部及び凸部を備えた形態である。この輪状の凹部がピン側係合部３５を形成する。
ピン挿入孔３３は、円形断面貫通孔の内周面に凹部を備える。凹部は、円形の内周面に沿って連続する輪状の凹部である。この輪状の凹部が孔側係合部３６を形成する。
即ち、ピン側係合部３５及び孔側係合部３６は、ピン２０の中心軸を回転中心として固化剤３４に対して回転可能な構成である。
【００１６】
ピン挿入孔３３に挿入されたピン２０の表面と固化剤３４とによって互いの回転を許容するピン接合部分が形成された場合には、ピン２０によりピン部１５が形成されることになる。
ピン挿入孔３３の内面と固化剤３４とによって互いの回転を許容するピン接合部分が形成された場合には、ピン２０と固化剤３４とによりピン部１５が形成されることになる。
従って、ピン２０とピン挿入孔３３との間に固化剤３４を充填し、固化剤３４が固化することによって、固化剤３４に対して回転可能なピン２０によるピン部１５、あるいは、ピン挿入孔３３の内面に対して回転可能なピン２０と固化剤３４とによるピン部１５を容易に形成できる。
【００１７】
図１を参照し、ピン接合６の施工方法を説明する。まず、梁４の外面５にピン固定孔１９を形成する。ピン固定孔１９はコアドリル等を用いて穿孔することにより形成する。ピン固定孔１９の内面に凹凸による孔側係合部２３を形成する（図１（ａ）参照）。ピン固定孔１９にピン２０の一端部を挿入してピン固定孔の開口からピン２０の表面とピン固定孔１９の内面との間に固化剤２１を充填し、固化剤２１を固化させることによって、ピン２０が梁４に固定される（図１（ｂ）参照）。この際、ピン固定孔１９の孔側係合部２３と固化剤２１とが係合し、ピン２０のピン側係合部２３とが固化剤２１とが係合するので、ピン固定孔１９からのピン２０の脱落を防止でき、梁４にピン２０を確実に固定できる。
次に、梁４の外面５より突出するピン２０の他端部を耐震補強材３のピン挿入孔３３内に通し、耐震補強材３の裏面３１と梁４の外面５とを互いに接触させた状態で、ピン挿入孔３３の開口からピン２０の他端部の表面とピン挿入孔３３の内面との間に固化剤３４を充填し、固化剤３４を固化させる。
以上により、梁４と耐震補強材３とが、ピン部１５を介して互いに回転可能に取り付けられる。即ち、梁４と耐震補強材３とがピン接合６により互いに接合される。また、ピン側係合部３５と固化剤３４との係合、孔側係合部３６と固化剤３４とに係合により、ピン部１５からの耐震補強材３の脱落を防止できる。
【００１８】
以上の構成により、地震時において、ピン２０の表面と固化剤３４との付着、あるいは、ピン挿入孔３３の内面と固化剤３４との付着が切れることによって、ピン部１５を回転中心として躯体と耐震補強材３の端部とが互いに回転を許容された状態となるため、躯体と耐震補強材３との接合部に曲げモーメントを作用させない（つまり、接合部に曲げモーメントを伝えない）ので、躯体と耐震補強材３間の応力伝達が明快となり、ピン接合６の設計においてせん断力だけを考慮すればよくなり、設計が容易となる。
さらに、Ｔ字の耐震補強材３がＴ字の端部に形成された３つのピン挿入孔３３の部分でピン接合され、耐震補強材３に対するピン接合６が３つと少数であるので、躯体から耐震補強部材３への応力伝達が単純となり、設計が容易となるとともに、工期の短縮化も可能となる。
【００１９】
他の形態１
図３に示すように、梁４に対するピン部１５の固定部１８を、ピン部１５の一端側に設けられた取付板４１と、取付板４１を梁４の外面５に固定するアンカー４２とによって形成する。取付板４１には、アンカー４２を貫通させる貫通孔４３が形成される。その他の構成は最良の形態１と同じである。
つまり、取付板４１の裏面４４を梁４の外面５に接触させ、貫通孔４３より梁４にアンカー４２を打ち込んで取付板４１を梁４の外面５に固定する。
最良の形態２によれば、梁４の外面５にピン固定孔１９を形成する作業や、固化剤２１を充填する作業をなくすことができるので、ピン部１５を梁４に容易に固定できる。
【００２０】
他の形態２
ピン側係合部３５の表面、あるいは、孔側係合部３６の表面に、グリースのような潤滑剤を塗布などにより設けることで、ピン側係合部３５の表面と固化剤３４、あるいは、孔側係合部３６の表面と固化剤３４との滑りをよくできる。このため、ピン側係合部３５の表面と固化剤３４との間の回転抵抗、あるいは、孔側係合部３６の表面と固化剤３４との間の回転抵抗を小さくできるので、回転抵抗の小さい良好なピン接合６を得ることができる。
【００２１】
他の形態３
図４に示すように、ピン固定孔１９を形成する場合に梁４の補強が必要な場合には、梁４の外面においてピン固定孔１９を形成する部分の周囲に炭素繊維シート５０を接着してからピン固定孔を形成すればよい。
【００２２】
他の形態４
図５に示すように、Ｈ字形状の耐震補強材３を用い、Ｈ字の状態を９０°回転させた状態で、この耐震補強材３のＨ字の端部である４箇所をピン接合６によって梁４の外面５に接合してもよい。
【００２３】
尚、図２、図４に示した形態は、既存建物２の外部に面した開口部１２を囲む梁、柱、壁のいずれかで形成された躯体の縦部材及び横部材のうち、上下に隣り合う一方の横部材としての梁４の１箇所以上及び他方の横部材としての梁４の２箇所以上に、耐震補強材３をピン接合６で取り付けた形態である。例えば、Ｔ字形状やＨ字形状の耐震補強材３が、上記上下に隣り合う一方の横部材としての梁４の１箇所以上及び他方の横部材としての梁４の２箇所以上にピン接合６された建物１である。この場合、横部材は、梁４か図外の壁であり、縦部材は、柱１３か図外の壁である。
【００２４】
他の形態５
例えば図２や図４において、既存建物２の外部に面した開口部１２を囲む梁、柱、壁のいずれかで形成された躯体の縦部材及び横部材のうち、左右に隣り合う一方の縦部材の１箇所以上及び他方の縦部材の２箇所以上に、耐震補強材３をピン接合６で取り付けることによって、例えば、Ｔ字形状やＨ字形状の耐震補強材３が、上記左右に隣り合う一方の縦部材の１箇所以上及び他方の縦部材の２箇所以上にピン接合６された建物１を構築してもよい。本形態５の場合でも、躯体と耐震補強材３間の応力伝達が明快となり、ピン接合６の設計においてせん断力だけを考慮すればよい耐震補強方法及び建物を提供できる。本形態５において、縦部材は、柱１３か図外の壁である。
【００２５】
他の形態６
例えば図２や図４において、既存建物２の外部に面した開口部１２を囲む梁、柱、壁のいずれかで形成された躯体の縦部材及び横部材のうち、隣り合う横部材及び縦部材のうちの一方の１箇所以上及び他方の２箇所以上に、耐震補強材３をピン接合６で取り付けたことによって、例えば、Ｔ字形状やＨ字形状の耐震補強材３が、上記隣り合う横部材及び縦部材のうちの一方の１箇所以上及び他方の２箇所以上にピン接合６された建物１を構築してもよい。本形態６の場合でも、躯体と耐震補強材３間の応力伝達が明快となり、ピン接合６の設計においてせん断力だけを考慮すればよい耐震補強方法及び建物を提供できる。本形態６において、横部材は、梁４か図外の壁であり、縦部材は、柱１３か図外の壁である。
【００２６】
他の形態７
図６（ａ）に示すように、既存建物２の外部に面した開口部１２を囲む梁、柱、壁のいずれかで形成された躯体の縦部材６５及び横部材６６のうち、上下に隣り合う一方の横部材６６の１箇所及び他方の横部材６６の１箇所に、２箇所のピン接合６の位置が同一の垂直線Ｖ上及び同一の水平線Ｈ上のいずれにも位置しないように耐震補強材３をピン接合６で取り付けたことによって、例えば、細長い平板状の耐震補強材３が、上記上下に隣り合う一方の横部材の１箇所及び他方の横部材の１箇所にピン接合６され、かつ、耐震補強材３の２箇所のピン接合６の位置が、同一の垂直線Ｖ上及び同一の水平線Ｈ上のいずれにも位置しない建物１を構築してもよい。本形態７の場合でも、躯体と耐震補強材３間の応力伝達が明快となり、ピン接合６の設計においてせん断力だけを考慮すればよい耐震補強方法及び建物を提供できる。また、１個の耐震補強材３の躯体に対するピン接合６の箇所が２箇所と少数であるので、躯体から耐震補強部材３への応力伝達が単純となり、設計が容易となるとともに、工期の短縮化も可能となる。本形態７において、横部材は、梁４か壁７０である。
【００２７】
他の形態８
図６（ｂ）に示すように、既存建物２の外部に面した開口部１２を囲む梁、柱、壁のいずれかで形成された躯体の縦部材６５及び横部材６６のうち、左右に隣り合う一方の縦部材６５の１箇所及び他方の縦部材６５の１箇所に、２箇所のピン接合６の位置が同一の垂直線Ｖ上及び同一の水平線Ｈ上のいずれにも位置しないように耐震補強材３をピン接合６で取り付けたことによって、例えば、細長い平板状の耐震補強材３が、上記左右に隣り合う一方の縦部材６５の１箇所及び他方の縦部材６５の１箇所にピン接合６され、かつ、耐震補強材３の２箇所のピン接合６の位置が、同一の垂直線Ｖ上及び同一の水平線Ｈ上のいずれにも位置しない建物１を構築してもよい。本形態８の場合でも、躯体と耐震補強材３間の応力伝達が明快となり、ピン接合６の設計においてせん断力だけを考慮すればよい耐震補強方法及び建物を提供できる。また、１個の耐震補強材３の躯体に対するピン接合６の箇所が２箇所と少数であるので、躯体から耐震補強部材３への応力伝達が単純となり、設計が容易となるとともに、工期の短縮化も可能となる。本形態８において、縦部材６５は、柱１３か壁７０である。
【００２８】
他の形態９
図６（ｃ）に示すように、既存建物２の外部に面した開口部１２を囲む梁、柱、壁のいずれかで形成された躯体の縦部材６５及び横部材６６のうち、隣り合う横部材６６及び縦部材６５のうちの一方の１箇所及び他方の１箇所に、２箇所のピン接合６の位置が同一の垂直線Ｖ上及び同一の水平線Ｈ上のいずれにも位置しないように耐震補強材３をピン接合６で取り付けたことによって、例えば、細長い平板状の耐震補強材３が、上記隣り合う横部材６６及び縦部材６５のうちの一方の１箇所及び他方の１箇所にピン接合６され、かつ、耐震補強材３の２箇所のピン接合６の位置が、同一の垂直線Ｖ上及び同一の水平線Ｈ上のいずれにも位置しない建物１を構築してもよい。本形態８の場合でも、躯体と耐震補強材３間の応力伝達が明快となり、ピン接合６の設計においてせん断力だけを考慮すればよい耐震補強方法及び建物を提供できる。また、１個の耐震補強材３の躯体に対するピン接合６の箇所が２箇所と少数であるので、躯体から耐震補強部材３への応力伝達が単純となり、設計が容易となるとともに、工期の短縮化も可能となる。本形態９において、横部材６６は、梁４か壁７０であり、縦部材６５は、柱１３か壁７０である。
【産業上の利用可能性】
【００２９】
耐震補強材３は、Ｔ字形状、Ｈ字形状、細長い平板状以外の形状のものを用いてもよい。
【図面の簡単な説明】
【００３０】
【図１】既存建物の躯体の梁と耐震補強材との接合方法及び構造を示す断面図（最良の形態１）。
【図２】躯体の梁の外面に耐震補強材が取り付けられた状態を示す正面図（最良の形態１）。
【図３】既存建物の躯体の梁と耐震補強材との接合構造を示す断面図（最良の形態２）。
【図４】ピン固定孔を形成する部分における梁の補強方法を示す図。
【図５】耐震補強材の他の例を示す図。
【図６】躯体の梁の外面に耐震補強材が取り付けられた状態を示す正面図（他の形態７乃至９）。
【符号の説明】
【００３１】
１  建物、２  既存建物、３  耐震補強材、４  梁、５  梁の外面、
６  ピン接合、１２  開口部、１３  柱、１５  ピン部、１６  取付部、
１７  脱落防止部、１８  固定部、１９  ピン固定孔、２０  ピン、
２１  固化剤、２２  ピン側係合部、２３  孔側係合部、３３  ピン挿入孔、
３４  固化剤、３５  ピン側係合部、３６  孔側係合部、４１  取付板、
４２  アンカー、６５  縦部材、６６  横部材、７０  壁、Ｖ  垂直線、
Ｈ  水平線。
【図１】
2008082017.tif 000003
【図２】
2008082017.tif 000004
【図３】
2008082017.tif 000005
【図４】
2008082017.tif 000006
【図５】
2008082017.tif 000007
【図６】
2008082017.tif 000008